(57)【要約】【課題】  放送番組データの記録中にチャンネルを変更した場合に記録される短時間の放送番組データを記録手段から自動的に削除する放送受信記録装置を提供する。【解決手段】  放送受信記録装置は、受信する放送信号のチャンネルを設定するチューナ２と、受信された放送信号に基づく放送番組データを記録するディスクドライブ８と、装置全体の動作を制御する制御部１３とを有する。制御部１３は、ディスクドライブ８による放送番組データの記録中にチューナ２により設定されるチャンネルが変更された場合に、チャンネル変更直前のチャンネルの放送番組データの記録時間が予め設定された基準時間以下であるか否かを判定し、記録時間が基準時間以下であると判定された放送番組データをディスクドライブ８から削除させる。【選択図】        図１
2005198137.tif 000002
【特許請求の範囲】
【請求項１】
受信チャンネルを設定し、この設定されたチャンネルの放送信号を受信する受信手段と、
前記受信手段により受信された放送信号に基づく放送番組データを記録する記録手段と、
前記受信手段及び前記記録手段の動作を制御する制御手段と
を有し、
前記制御手段は、前記記録手段による放送番組データの記録中に前記受信手段により設定されるチャンネルが変更された場合に、前記チャンネル変更直前のチャンネルの放送番組データの記録時間が予め設定された基準時間以下であるか否かを判定し、前記記録時間が前記基準時間以下であると判定された放送番組データを前記記録手段から削除させる
ことを特徴とする放送受信記録装置。
【請求項２】
前記制御手段は、
前記チャンネル変更直前のチャンネルの放送番組データの記録時間が予め設定された基準時間以下であるか否かの判定を、前記チャンネル変更直後に実行し、また、
前記放送番組データの前記記録手段からの削除を、前記チャンネル変更直後に前記記録手段に実行させる
ことを特徴とする請求項１に記載の放送受信記録装置。
【請求項３】
前記制御手段は、前記基準時間の変更指令信号を受け取り、受け取った変更指令信号に基づいて前記基準時間を変更することを特徴とする請求項１又は２のいずれかに記載の放送受信記録装置。
【請求項４】
受信チャンネルを設定し、この設定されたチャンネルの放送信号を受信する受信手段と、
前記受信手段により受信された放送信号に基づく放送番組データを記録する記録手段と、
前記受信手段及び前記記録手段の動作を制御する制御手段と
を有し、
前記制御手段は、
前記記録手段による放送番組データの記録中に前記受信手段により設定されるチャンネルが変更された場合に、前記チャンネル変更直前のチャンネルの放送番組データの記録時間が予め設定された第１の基準時間以下であるか否かを判定し、
前記記録手段による放送番組データの記録中に、現在のチャンネルへのチャンネル変更時点から現時点までの放送番組データの記録時間が予め設定された第２の基準時間に達したか否かを判定し、
現在のチャンネルへのチャンネル変更時点から現時点までの放送番組データの記録時間が前記第２の基準時間に達したと判定された場合には、記録時間が前記第１の基準時間以下であると判定された放送番組データを前記記録手段から削除させる
ことを特徴とする放送受信記録装置。
【請求項５】
前記制御手段は、記録時間が前記第１の基準時間以下であると判定された放送番組データの中に、記録時間が前記第２の基準時間に達したと判定された放送番組データと同じチャンネルの放送番組データがある場合には、記録時間が前記第２の基準時間に達したと判定された放送番組データと同じチャンネルの放送番組データを削除させないことを特徴とする請求項４に記載の放送受信記録装置。
【請求項６】
前記制御手段は、現在のチャンネルへのチャンネル変更時点から現時点までの放送番組データの記録時間が前記第２の基準時間に達したと判定された場合に、前記記録手段から削除されなかった複数の放送番組データを１つの放送番組データとして再生できるように、前記複数の放送番組データを関連付ける情報を保持することを特徴とする請求項４又は５のいずれかに記載の放送受信記録装置。
【請求項７】
前記制御手段は、前記第１の基準時間の変更指令信号及び前記第２の基準時間の変更指令信号の少なくとも一方を受け取り、受け取った変更指令信号に基づいて前記第１の基準時間及び前記第２の基準時間の少なくとも一方を変更することを特徴とする請求項４から６までのいずれかに記載の放送受信記録装置。
【発明の詳細な説明】
【技術分野】
【０００１】
本発明は、放送受信用チューナと、ハードディスクレコーダのようなランダムアクセス可能な記録装置とを備えた放送受信記録装置に関するものである。
【背景技術】
【０００２】
従来のこの種の放送受信記録装置では、チューナで設定（選択）されたチャンネルの放送番組データをハードディスク等の記録媒体に記録（以下「録画」ともいう。）しながら、チューナからの出力に基づく映像（放送番組をリアルタイムで視聴する場合）又は記録媒体からの出力に基づく映像（タイムシフト再生又はタイムシフト録画する場合）を視聴するという利用法がある。ここで、「タイムシフト再生」とは、放送番組データの録画中に、既に録画済みの放送番組データ（例えば、番組冒頭）から再生を始め、リアルタイム放送を追いかける再生録画方法である。また、「タイムシフト録画」とは、予め設定された一定時間の放送番組データが記録媒体に保持されるように現時点の放送番組データを記録し続け、視聴者が現在視聴している放送番組は記録された放送番組データを記録媒体から順次読み出したデータに基づくものであり、現在視聴している放送番組よりも時間を遡った番組の視聴を可能にする再生録画方法である。これらの利用法においては、視聴者は、記録媒体への放送番組データの記録中に、例えば、リモコンのチャンネル順送りボタンにより受信チャンネルを所定の順番で変更して、視聴したいチャンネルを選択する場合がある。
【０００３】
【特許文献１】実用新案登録第３０９１９０３号公報（図６）
【発明の開示】
【発明が解決しようとする課題】
【０００４】
しかし、録画中にチャンネル順送りボタンにより受信チャンネルを所定の順番で変更すると、記録媒体に記録される放送番組データもチャンネル変更に応じて変更される。このため、視聴者が記録又は視聴を希望するチャンネル以外の放送番組データ、即ち、チャンネルを順送りしている途中の放送番組データが、短時間（例えば、数秒〜十数秒間）ずつ録画されてしまうという問題があった。
【０００５】
また、タイムシフト録画中に視聴者がチャンネルを一時的に変更しても、変更後のチャンネルが予め登録された好みのチャンネルでなければ、変更後のチャンネルの録画をしない放送受信記録装置が提案されている（例えば、特許文献１参照）。しかし、予め登録された好みのチャンネル数が多い場合には、チャンネル順送りによって、多数ある好みのチャンネルの放送番組のうちの幾つかの放送番組が短時間ずつ録画されてしまうことになり、視聴者にとって不要と思われる放送番組が短時間ずつ録画されてしまうことになるという上記問題を解決できない。
【０００６】
そこで、本発明は、上記したような従来技術の課題を解決するためになされたものであり、その目的は、放送番組データの記録中にチャンネルを変更した場合に記録される短時間の放送番組データを記録手段から自動的に削除することができる放送受信記録装置を提供することにある。
【課題を解決するための手段】
【０００７】
本発明に係る放送受信記録装置は、受信チャンネルを設定し、この設定されたチャンネルの放送信号を受信する受信手段と、前記受信手段により受信された放送信号に基づく放送番組データを記録する記録手段と、前記受信手段及び前記記録手段の動作を制御する制御手段とを有する。制御手段は、前記記録手段による放送番組データの記録中に前記受信手段により設定されるチャンネルが変更された場合に、前記チャンネル変更直前のチャンネルの放送番組データの記録時間が予め設定された基準時間以下であるか否かを判定し、前記記録時間が前記基準時間以下であると判定された放送番組データを前記記録手段から削除させる。
【発明の効果】
【０００８】
本発明によれば、記録手段による放送番組データの記録中に受信手段により設定されるチャンネルが変更された場合に、記録時間が予め設定された基準時間以下である放送番組データを自動的に削除するので、視聴者にとって有用な放送番組データのみを記録手段に残し、再生画像を視聴する視聴者は、自身にとって不要な放送番組データを視聴しないで済むという効果が得られる。
【発明を実施するための最良の形態】
【０００９】
実施の形態１．
図１は、本発明の実施の形態１に係る放送受信記録装置の構成を概略的に示すブロック図である。図１に示されるように、実施の形態１の放送受信記録装置は、放送電波（放送信号）を受信するアンテナ１と、受信する放送信号のチャンネルを設定（選択）するチューナ２と、チューナ２からの出力信号の復調を行いチューナ２で選択されたチャンネルの番組の映像信号を生成する復調部３と、復調された映像信号をデジタルデータに変換するＡ／Ｄ（アナログ／デジタル）変換部４と、デジタルデータに変換された映像信号を、例えば、ＭＰＥＧ２方式等の符号化によってデータ圧縮するエンコーダ５と、エンコーダ５の出力信号をＭＰＥＧ２方式のプログラムストリーム（ＰＳ：Ｐｒｏｇｒａｍ  Ｓｔｒｅａｍ）やトランスポートストリーム（ＴＳ：Ｔｒａｎｓｐｏｒｔ  Ｓｔｒｅａｍ）等のデータ構造に変換する記録信号処理部６とを有する。また、実施の形態１の放送受信記録装置は、例えば、ＩＤＥ（Ｉｎｔｅｇｒａｔｅｄ  Ｄｅｖｉｃｅ  Ｅｌｅｃｔｒｏｎｉｃｓ）規格等のドライブインターフェース７と、ランダムアクセス可能な記録媒体、例えば、ハードディスクや光ディスク（ＤＶＤ）等に対するランダムなデータ読み書きが可能なディスクドライブ８とを有する。さらに、実施の形態１の放送受信記録装置は、ディスクドライブ８に記録されたＰＳ又はＴＳフォーマットの信号から映像及び音声のデータを分離抽出する再生信号処理部９と、再生信号処理部９で生成された映像信号をデコード（復号）するデコーダ１０と、復号されたデジタル映像信号をアナログに変換するＤ／Ａ（デジタル／アナログ）変換部１１と、テレビモニタ等へ映像音声信号を出力するための出力部１２とを有する。さらにまた、実施の形態１の放送受信記録装置は、装置全体を制御する制御部１３と、視聴者が扱う操作部としてのリモコン１５からの赤外線パルスを受光して、受光した赤外線パルスに対応する電気信号を制御部１３に与える受光部１４とを有する。
【００１０】
アンテナ１で受信された放送電波は、チューナ２によって選択されているチャンネルに基づいて選択抽出される。チャンネルの選択は、例えば、リモコン１５から入力されたチャンネル選択情報を受光部１４経由で受け取った制御部１３からの制御信号に基づいて行われる。チューナ２から出力される信号は、復調部３によって復調され、その結果、映像信号が生成される。復調部３によって生成された映像信号は、Ａ／Ｄ変換部４でデジタルデータに変換される。変換されたデジタルデータは、エンコーダ５によって圧縮され、記録信号処理部６によってディスクドライブ８に記録可能なデータ構造、例えば、ＴＳ又はＰＳ等のデータ構造に変換される。ここで、ＴＳ信号は、通信メディアを考慮したデータ構造を有し、ＰＳ信号は、パッケージメディアを考慮したデータ構造を有する。なお、ディスクドライブ８に記録されるデジタルデータのデータ構造は、音声及び映像をハードディスク等の記録媒体に記録できるデータ構造であれば、ＴＳ又はＰＳ等の規格に準ずるものである必要はない。また、記録信号処理部６は、デジタルデータを、ドライブインターフェース７に入力させることができる信号形式に変換するための処理も行う。制御部１３の制御により、記録されるべき放送番組データはドライブインターフェース７を介してディスクドライブ８へ記録される。
【００１１】
実施の形態１の放送受信記録装置において、制御部１３は、以下のような制御を行う。ディスクドライブ８への放送番組データの記録中（録画中）にチューナ２により選択されるチャンネルが変更された場合に、制御部１３は、チャンネル変更直前のチャンネルの放送番組データの記録時間が予め設定された基準時間Ｒ０以下であるか否かを判定し、この記録時間が基準時間（所定時間）Ｒ０以下であると判定された放送番組データをディスクドライブ８から削除させる。このような制御により、ディスクドライブ８による放送番組データの記録中にチューナ２により設定されるチャンネルが変更された場合に、記録時間が基準時間Ｒ０以下である放送番組データを（短時間しか録画されなかったので、記録の必要性の低い放送番組であると判断して）自動的に削除するので、視聴者にとって有用な放送番組データのみをディスクドライブ８に残し、再生した画像を視聴する視聴者は、自身にとって不要な放送番組データを視聴しないで済むという利点がある。
【００１２】
また、チャンネル変更直前のチャンネルの放送番組データの記録時間が基準時間Ｒ０以下であるか否かの判定は、通常は、チャンネル変更直後に実行するが、判定時期はチャンネル変更直後に限定されない。また、放送番組データのディスクドライブ８からの削除は、通常は、チャンネル変更直後に実行させるが、削除時期はチャンネル変更直後に限定されない。しかし、チャンネル変更直後に不要な放送番組データを削除すれば、タイムシフト再生又はタイムシフト録画のように録画後の早い時期に再生画像を視聴する録画再生モードであっても、視聴者は自身にとって不要な放送番組データを確実に視聴しなくて済むという利点がある。
【００１３】
さらに、制御部１３は、基準時間Ｒ０の変更指令信号を、例えば、リモコン１５から受光部１４を経由して受け取り、受け取った変更指令信号に基づいて基準時間Ｒ０を変更することができるように構成されている。このように、ディスクドライブ８に残すべき放送番組データであるか、削除すべき放送番組データであるかの判定基準である基準時間Ｒ０を視聴者の操作によって自由に変更可能とすることにより、削除せずにディスクドライブ８に残すべき放送番組データの記録時間を視聴者の好みに応じて変えることができる。
【００１４】
次に、実施の形態１の放送受信記録装置の動作を詳細に説明する。ここでは、視聴者がリモコン１５を操作することにより、タイムシフト録画が開始された場合について説明する。ここで、タイムシフト録画とは、録画動作が指令されていないときであっても、予め設定された一定時間の放送番組データがディスクドライブ８に保持されるように現時点の放送番組データを記録し続け、視聴者が現在視聴している放送番組は記録された放送番組データをディスクドライブ８から順次読み出したデータに基づくものであり、現在視聴している放送番組よりも時間を遡った番組の視聴を可能にする再生録画方法である。したがって、放送受信記録装置においてタイムシフト録画が開始されると、放送番組データは逐次ディスクドライブ８へ記録され、これと並行して、視聴者は、図示しないテレビモニタにより、出力部１２から出力される再生信号に基づく映像及び音声を視聴する。ここで、視聴者がリモコン１５によってチューナ２で選択されるチャンネルの変更を指示すると、制御部１３は、受光部１４を経由してその指示を受け取り、チューナ２を制御する。これによって、今まで視聴していたチャンネルの放送番組の信号ではなく、新たに選択されたチャンネルの放送番組の信号が復調部３へ入力されることになり、結果的に、ディスクドライブ８へは新たに選択されたチャンネルの放送番組データが記録されることになり、また、視聴者は新たに選択されたチャンネルの放送番組を視聴することになる。
【００１５】
図２は、ディスクドライブ８上の論理的なデータ空間を示す説明図である。図２に示される例では、視聴者は時刻ｔ０でチャンネルを変更して番組Ａの録画及び視聴を開始し、時刻ｔ１でチャンネルを変更して番組Ｂの録画及び視聴を開始し、その後、番組Ｂの録画及び視聴を継続した場合のデータ空間を示している。図２に示されるように、チャンネルが変更されると、録画情報は論理的に別のデータとして記録される。図２は論理的なデータ空間を示すものであり、番組Ａのデータと番組Ｂのデータとが連続した領域を占めている場合を示しているが、番組Ａのデータと番組Ｂのデータとがディスクドライブ８上で物理的に連続している必要はない。図２に示される例では、不要録画情報は、番組Ａのデータになる。
【００１６】
図３は、ディスクドライブ８上に記録されている番組を管理するための記録情報管理テーブルの説明図である。図３の左側には、記録情報管理テーブルが示されており、図３の右側には、領域情報の一例が示されている。図３に示される記録情報管理テーブルはタイムシフト録画を開始した時点で制御部１３の指示により生成され、ディスクドライブ８の所定領域へ記録される。また、チャンネルの変更に追従して、記録情報管理テーブルは更新される。ここで、タイムシフト録画中にチャンネルを番組Ａのチャンネルから番組Ｂのチャンネルへと変更した場合の領域情報が、管理（１）の領域情報２０である。
【００１７】
図３の右側に示されるように、管理（１）の領域情報２０は、チャンネル変更によって発生する記録履歴情報が記憶される記録状態情報２２と、ディスクドライブ８内の番組Ａ及び番組Ｂのデータの位置情報と大きさ情報から構成されるマップ情報２３，２４とから構成される。記録状態情報２２には、番組Ａと番組Ｂが記録されていることが記憶されている。マップ情報２３，２４は、制御部１３が所望の番組データを制御する場合に必要になる。
【００１８】
図４は、実施の形態１の放送受信記録装置におけるタイムシフト録画の概要を示すフローチャートである。図４に示されるように、タイムシフト録画が開始されると、設定されているチャンネルの放送番組データが逐次ディスクドライブ８に記録される（ステップＳ１）。制御部１３は、設定されたチャンネルの放送番組データが逐次ディスクドライブ８に記録されている最中において、チャンネル変更が実施されたかどうかを判定する（ステップＳ２）。ここで、チャンネル変更が発生しなければ録画処理を続行する。チャンネル変更が発生した場合には、チャンネル変更直前のチャンネルの番組を予め決められた基準時間Ｒ０より長く視聴したかどうかを、マップ情報に基づいて判定する（ステップＳ３）。ここで、「チャンネル変更直前のチャンネルの番組を予め決められた基準時間Ｒ０より長く視聴したかどうか」とは、実際に視聴者が映像を視聴した時間を意味するものではなく、「チャンネル変更直前のチャンネルを予め決められた基準時間Ｒ０より長く設定し続けたかどうか」又は「チャンネル変更直前のチャンネルの番組を予め決められた基準時間Ｒ０より長く記録したかどうか」と同じ意味である。チャンネル変更直前のチャンネルの番組を基準時間Ｒ０より長く記録したと判定された場合には、引き続き録画処理を続行し、チャンネル変更直前のチャンネルの番組を基準時間Ｒ０以下しか記録していないと判定された場合には、チャンネル変更直前の番組を不要な録画情報であるとして削除する（ステップＳ４）。なお、録画開始後において、上記ステップＳ２〜Ｓ４の処理を繰り返すので、不要な録画情報を削除した後も、引き続き録画処理は実行される。
【００１９】
図５に、実施の形態１の放送受信記録装置におけるタイムシフト録画の詳細を示すフローチャートである。図５に示されるように、タイムシフト録画が開始されると、チューナ２で設定されたチャンネルの放送番組データが逐次ディスクドライブ８に記録され（ステップＳ１）、制御部１３は図示しない内蔵のタイマーを起動するとともに、予め用意した視聴フラグをオフ（ＯＦＦ）に設定する（ステップＳ１１）。視聴フラグは、視聴者がチャンネル変更をせずに基準時間Ｒ０より長く視聴した場合に、オン（ＯＮ）に設定される。ここで、「視聴者がチャンネル変更をせずに基準時間Ｒ０より長く視聴した場合」とは、実際に視聴者が映像を視聴した時間を意味するものではなく、「チャンネル変更をせずに基準時間Ｒ０より長くチャンネルが設定されていた場合」又は「チャンネル変更をせずに基準時間Ｒ０より長く記録された場合」と同じ意味である。また、視聴フラグは、制御部１３が書き換え可能な図示しないメモリ上に記憶する。録画が開始されるにあたり、視聴者がリモコン１５によって、タイムシフト録画を終了する指示を装置に送った場合には（ステップＳ１２）、制御部１３は録画中であっても録画を終了するように制御を行う（ステップＳ１７）。タイムシフト録画が開始され、視聴中の放送番組データを逐次ディスクドライブ８に記録している最中に、チャンネル変更が発生したかどうかを監視する（ステップＳ２）。チャンネル変更が無い場合には録画処理を継続する。
【００２０】
図６は、図５のステップＳ２及びＳ１２を繰り返す過程において制御部１３が実施する割り込み処理を示すフローチャートである。制御部１３は、ステップＳ１１においてスタートしたタイマーの計測時間が基準時間Ｒ０に達した時点で視聴フラグをＯＮに設定する（ステップＳ３０）。視聴フラグがＯＮであるということは、視聴者が視聴中の番組を基準時間Ｒ０より長く見続けたこと、即ち、設定されたチャンネルが基準時間Ｒ０より長く設定され続けたことを意味する。割り込み処理では、視聴フラグをＯＮにした後、タイマー割り込み処理を終了する（ステップＳ３１）。なお、ここで起動するタイマーは、予め決めた基準時間Ｒ０を測定し、その基準時間Ｒ０に達した時点で制御部１３に内蔵するＣＰＵに割り込み処理がかかる。
【００２１】
図５のステップＳ２においてチャンネル変更が発生した場合には、視聴フラグがＯＦＦであるか否かを判定する（ステップＳ１３）。視聴フラグがＯＮ、即ち、チャンネル変更直前のチャンネルを基準時間Ｒ０より長く設定していた場合には、そのまま録画処理を継続する。一方、視聴フラグがＯＦＦ、即ち、チャンネル変更直前のチャンネルを基準時間Ｒ０より長く設定していない場合には、チャンネル変更直前のチャンネルの番組データを削除する（ステップＳ１４）。不要な録画番組の削除によってディスクドライブ８上のデータの配列も変化することになるので、記録情報管理テーブルを変更する（ステップＳ１５）。そして、起動しているタイマーを無効にし、新たなタイマースタートに備える（ステップＳ１６）。
【００２２】
次に、図３に示される記録情報管理テーブルの変更方法について説明する。図７は、ディスクドライブ８の論理的なデータ空間から不要な録画番組Ａのデータが削除される場合を示す説明図である。ここで、「削除する」とは、ディスクドライブ８に記録された番組Ａのデータを、読み出しできない状態に変更することを意味する。図３に示される記録情報管理テーブル内にある記録状態情報２２においては、番組Ａ及び番組Ｂをディスクドライブ８に記録していることを記憶しているが、番組Ａを削除する場合には、番組Ｂのみをディスクドライブ８に記録していることを記憶するように変更する。さらに、図３に示される番組Ａの領域情報２３は削除され、図３に示される番組Ｂの領域情報２４のみが残される。このような処理によって、元々、番組Ｂのチャンネルのみを選択していたようにディスクドライブ８上に録画情報が記録される。
【００２３】
次に、録画された番組データを再生する場合について説明する。再生にあたっては、視聴者がリモコン１５によって該当の録画番組を再生する指示を制御部１３へ送る。制御部１３では、ディスクドライブ８上の記録情報管理テーブル内にある領域情報を読み取り、再生するべき番組データのディスクドライブ８上の位置を解析する。実施の形態１においては、番組Ｂが対象となる。番組データのディスクドライブ８上の位置が分かった後は、制御部１３はディスクドライブ８から該当する番組データを読み出し、再生信号処理部９へ渡すようにドライブインターフェース７を制御する。再生信号処理部９では、ディスクドライブ８に記録されたＰＳ又はＴＳフォーマットの信号から映像データ及び音声データを分離抽出する。生成されたデータは圧縮されたデータであるのでデコーダ１０にて伸張を行い、Ｄ／Ａ変換部１１でアナログ信号に変換される。アナログ信号になった映像信号は出力部から出力されてテレビモニタに映し出される。結果的には、視聴者は、短時間だけチャンネル選択されていた番組Ａについては視聴することなく、番組Ｂだけを視聴することができる。
【００２４】
なお、図１から図７までを用いた上記説明においては、予め決められた基準時間Ｒ０内にチャンネル変更した番組について録画データの削除を実施しているが、基準時間Ｒ０については視聴者が任意に設定変更できるようにしてもよい。
【００２５】
また、実図１から図７までを用いた上記説明においては、アナログ放送番組のタイムシフト録画について説明したが、デジタル放送番組においても同様の制御によって不要な録画番組を自動的に削除することができる。デジタル放送の場合には、チューナ２をデジタルチューナに置き換え、復調部３、Ａ／Ｄ変換部４、及びエンコーダ５をデジタル復調部に置き換え、不要番組の自動削除のために図４、図５、及び図６に示される処理を実行すればよい。
【００２６】
実施の形態２．
上記実施の形態１では、チャンネルの変更が発生した時にチャンネル変更直前のチャンネルの放送番組データについての判定及び削除を実行していたが、実施の形態２では、チャンネル変更直前のチャンネルについての判定及び削除が必ずしもチャンネル変更毎に実行されない。実施の形態２では、設定されたチャンネルが予め決められた第２の基準時間Ｒ２以上継続して設定され続けた場合に、例えば、判定及び削除を実施し、それまでに記録した番組データのうち不要であると判断したものを、まとめて削除する場合を説明する。なお、実施の形態２の放送受信記録装置の説明においては、図１のブロック図をも参照する。
【００２７】
実施の形態２の放送受信記録装置においては、制御部１３が以下のような制御を行う。制御部１３は、ディスクドライブ８への放送番組データの記録中に、チューナ２により設定されるチャンネルが変更された場合に、チャンネル変更直前のチャンネルの放送番組データの記録時間が予め設定された第１の基準時間Ｒ１以下であるか否かを判定する。また、制御部１３は、ディスクドライブ８による放送番組データの記録中に、現在のチャンネルへのチャンネル変更時点から現時点までの放送番組データの記録時間が予め設定された第２の基準時間Ｒ２に達したか否かを判定する。さらに、制御部１３は、現在のチャンネルへのチャンネル変更時点から現時点までの放送番組データの記録時間が第２の基準時間Ｒ２に達したと判定された場合には、記録時間が第１の基準時間Ｒ１以下であると判定されている放送番組データをディスクドライブ８から削除させる。このような制御により、ディスクドライブ８による放送番組データの記録中にチューナ２により設定されるチャンネルが変更された場合に、記録時間が予め設定された第１の基準時間Ｒ１以下である放送番組データを自動的に削除するので、視聴者にとって有用な放送番組データのみをディスクドライブ８に残し、再生時に視聴者は自身にとって不要な放送番組データを視聴しないで済むという利点がある。また、不要な番組情報をまとめて削除するので、繰り返しチャンネル変更した場合であっても、頻繁に記録媒体をアクセスし録画及び削除処理を繰り返す必要がなくなる。
【００２８】
また、記録時間が第１の基準時間Ｒ１以下であると判定された放送番組データの中に、記録時間が第２の基準時間Ｒ２に達したと判定された放送番組データと同じチャンネルの放送番組データがある場合には、記録時間が第２の基準時間Ｒ２に達したと判定された放送番組データと同じチャンネルの放送番組データを削除させないように制御してもよい。このような制御により、第２の基準時間Ｒ２より長く記録された番組と同じチャンネルの番組については第１の基準時間Ｒ１以下の記録時間であっても、記録媒体から削除しないので、視聴者にとって有効な番組まで削除しなくて済む利点がある。
【００２９】
さらに、現在のチャンネルへのチャンネル変更時点から現時点までの放送番組データの記録時間が第２の基準時間Ｒ２に達したと判定された場合に、ディスクドライブ８から削除されなかった複数の放送番組データを１つの放送番組データとして再生できるように、複数の放送番組データを関連付ける情報を保持するように制御することもできる。このような制御により、削除の対象とならなかった番組情報を連続して再生でき、視聴者が視聴したい番組情報のみを連続して視聴することができる。
【００３０】
さらにまた、第１の基準時間Ｒ１の変更指令信号及び第２の基準時間Ｒ２の変更指令信号の少なくともいずれか一方を受け取り、受け取った変更指令信号に基づいて第１の基準時間Ｒ１又は第２の基準時間Ｒ２を変更するように構成することもできる。このような制御により、所定時間継続して視聴したことを判定する際に使用する第２の基準時間Ｒ２を、視聴者が任意に設定できるので、削除せずにディスクドライブ８に残すべき放送番組データの記録時間を視聴者の好みに応じて変えることができる。
【００３１】
図８は、ディスクドライブ８上の論理的なデータ空間を示す説明図である。図８に示される例は、時刻ｔ０でチャンネルを変更して番組Ａの録画及び視聴を開始し、次に時刻ｔ１でチャンネルを変更して番組Ｂの録画及び視聴を開始し、次に時刻ｔ２でチャンネルを変更して番組Ｃの録画及び視聴を開始し、次に時刻ｔ３でチャンネルを変更して番組Ｄの録画及び視聴を開始し、番組Ｄを比較的長い時間録画及び視聴した場合である。図８に示されるように、チャンネルが変更されると、録画情報は論理的に別のデータとして記録される。図８は論理的なデータ空間を示すものであり、番組Ａのデータ５０、番組Ｂのデータ５１、番組Ｃのデータ５２、及び番組Ｄのデータ５３が連続した領域を占めている場合を示しているが、これらの各データがディスクドライブ８上で物理的に連続している必要はない。図８に示される例では、不要録画情報は、番組Ａ、番組Ｂ、及び番組Ｃのデータ５０，５１，５２である。
【００３２】
図９は、ディスクドライブ８上に記録されている番組を管理するための記録情報管理テーブルの説明図である。図９の左側には、記録情報管理テーブルが示されており、図９の右側には、領域情報の一例が示されている。図９に示される記録情報管理テーブルはタイムシフト録画を開始した時点で制御部１３の指示により生成され、ディスクドライブ８の所定領域へ記録される。また、チャンネルの変更に追従して、記録情報管理テーブルは更新される。ここで、タイムシフト録画中にチャンネルを番組Ａ、番組Ｂ、番組Ｃ、番組Ｄの順で切り替えた場合の領域情報が、管理（１）の領域情報６０である。
【００３３】
図９の右側に示されるように、管理（１）の領域情報６０は、チャンネル変更によって発生する記録履歴情報が記憶される記録状態情報６２と、ディスクドライブ８内の番組Ａ、番組Ｂ、番組Ｃ，番組Ｄのデータの位置情報と大きさ情報から構成されるマップ情報６３〜６６とから構成される。記録状態情報６２には、番組Ａ、番組Ｂ、番組Ｃ，番組Ｄが記録されていることが記憶されている。マップ情報６３〜６６は、制御部１３が所望の番組データを制御する場合に必要になる。マップ情報には、基準時間以上視聴したかどうかを判定できる情報、例えば視聴時間も記録されている。
【００３４】
図１０は、実施の形態２の放送受信記録装置におけるタイムシフト録画の概要を示すフローチャートである。図１０に示されるように、タイムシフト録画が開始されると、設定されているチャンネルの放送番組データが逐次ディスクドライブ８に記録される（ステップＳ５０）。制御部１３は、設定されたチャンネルの放送番組データが逐次記録されている最中において、チャンネル変更が実施されたかどうかを判定する（ステップＳ５１）。ここで、チャンネル変更が発生しなければ録画処理を続行する。チャンネル変更がされた場合には、既に過去に記録されていた不要番組情報を削除するための削除条件を設定する（ステップ５２）。ここで、「削除条件を設定する」とは、チャンネルを変更しないで継続してチャンネルを設定していた時間が第１の基準時間Ｒ１を越えたことを通知する機能を持たせることである。ステップ５２で削除条件が設定された後は、例えば、制御部１３内の図示しないタイマーが起動され、第１の基準時間Ｒ１を計測した後にチャンネル変更がなされない場合には、削除条件を満たしたこととする。チャンネル変更がない場合には、削除条件の設定は行わない。次に、不要録画情報の削除処理を実行するための削除条件が満たされたか否かを判定する（ステップＳ５３）。ここで、不要録画情報の削除処理を実行するための削除条件が満たされている場合には、該当する録画情報を削除処理する（ステップＳ５４）。
【００３５】
図１１は、実施の形態２の放送受信記録装置におけるタイムシフト録画の詳細を示すフローチャートである。図１１に示されるように、タイムシフト録画が開始されると、設定されたチャンネルの放送番組データが逐次ディスクドライブ８に記録される（ステップＳ５０）。また、予め用意した削除フラグとタイマーフラグをＯＦＦに設定する（ステップＳ５０）。これらのフラグは、制御部１３が書き換え可能な図示しないメモリ上に記憶する。録画が開始されるにあたり、視聴者がリモコン１５によって、タイムシフト録画を終了する指示を装置に送った場合には、録画中であっても録画を終了するように制御を行う（ステップＳ６７）。タイムシフト録画が開始され、チャンネル設定されている番組を逐次記録している最中に、チャンネル変更が発生した場合には、不要録画情報の削除条件の設定処理を行う（ステップＳ５２）。ステップＳ５２では、タイマーフラグがＯＮであるかどうか判定する（ステップＳ６１）。このタイマーフラグは制御部１３が持つタイマーを起動しているかどうかを記憶しておくものである。従って、視聴者によってチャンネル変更が第１の基準時間Ｒ１内に繰り返される場合には、タイマーを一旦無効にし（ステップＳ６２）、２重にタイマーが起動されないようにする。次にタイマーをスタートする（ステップ６３）。つまり、チャンネル変更がなされる度に、タイマーは新規にスタートすることになる。なお、ここで起動するタイマーとしては、実施の形態１と同様、予め決めた基準時間を測定し、その基準時間に達した時点で制御部１３は対応する割り込み処理に入る。
【００３６】
図１２は、チャンネルが設定されている時間が第２の基準時間Ｒ２に達した時点で制御部１３が実施する割り込み処理を示すフローチャートである。ここでは、図８に示されるように、時刻ｔ０でチャンネルを変更して番組Ａの録画及び視聴を開始し、次に時刻ｔ１でチャンネルを変更して番組Ｂの録画及び視聴を開始し、次に時刻ｔ２でチャンネルを変更して番組Ｃの録画及び視聴を開始し、次に時刻ｔ３でチャンネルを変更して番組Ｄの録画及び視聴を開始し、番組Ｄを比較的長い時間視聴した場合について説明する。番組Ｄの視聴時間が、第２の基準時間Ｒ２に達した時点でタイマーからの割り込み通知を制御部１３が受け取ると、削除フラグをＯＮにセットする（ステップＳ７０）。これにより、不要録画番組を削除できる条件が満たされる。次に、起動したタイマーを無効にするために、タイマーの機能を停止するとともに、タイマーフラグをＯＦＦにセットする（ステップＳ７１）。そして、ステップＳ７２で割り込み処理を終了する。
【００３７】
前述のタイマー割り込み処理の結果、削除フラグがＯＮにセットされることになり、ステップＳ６４の判定によって不要録画番組が削除される（ステップＳ６５）。不要録画番組の削除によってディスクドライブ８上のデータの配列も変化することになるので、記録情報管理テーブルを変更する（ステップＳ６６）。
【００３８】
次に、図９に示される記録情報管理テーブルの変更方法について説明する。図１３は、不要録画番組データが番組Ａ、番組Ｂ、番組Ｃのデータ５０，５１，５２が削除され、番組Ｄのデータ５３が残される場合を示す説明図である。ここで、「削除する」とは、ディスクドライブ８に記録された番組Ａ、番組Ｂ、番組Ｃのデータ５０，５１，５２を、読み出しできない状態に変更することを意味する。図９に示される記録情報管理テーブル内にある記録状態情報６２では、番組Ａ、番組Ｂ、番組Ｃ、番組Ｄをディスクドライブ８に記録していることを記憶しているが、番組Ａ、番組Ｂ、番組Ｃを削除する場合には、番組Ｄのみをディスクドライブ８に記録していることを記憶するように変更する。さらに、図９に示される番組Ａのマップ情報６３、番組Ｂのマップ情報６４、番組Ｃのマップ情報６５は削除され、図９に示される番組Ｄの領域情報６６のみが残される。このような処理によって、元々、番組Ｄのみを視聴していたようにディスクドライブ８上に録画情報が記録される。
【００３９】
図１４は、実施の形態２の放送受信記録装置におけるディスクドライブの論理的なデータ空間から不要な録画番組のデータが削除される場合（第２の例）を示す説明図である。また、図１５は、実施の形態２の放送受信記録装置おける不要録画番組データ削除時のディスクドライブ８上の論理的なデータ空間を示す説明図である。図１４は、番組Ｄのチャンネルを第２の基準時間Ｒ２以上設定し続けて番組Ａ，Ｂ，Ｃのデータ５０，５１，５２を削除してから、番組Ｅのチャンネルを第１の基準時間Ｒ１以下設定し、番組Ｆのチャンネルを第２の基準時間Ｒ２以上設定した場合の論理的なデータ空間を示している。また、図１４は、既に番組Ａのマップ情報６３、番組Ｂのマップ情報６４、番組Ｃのマップ情報６５は既に削除されている場合を示している。この場合には、削除対象の放送番組データは番組Ｅのデータ５４である。従って、番組Ｅのデータ５４が図１４に示すデータ空間から削除されることとなる。それに伴い、記録情報管理テーブル内にある記録状態情報６２は、番組Ｄと番組Ｆを記録していることを記憶するように変更される。番組Ｅのデータ５４の削除、及び、記録情報管理テーブルの変更のタイミングは、番組Ｆのチャンネルを第２の基準時間Ｒ２以上設定していたと判定された後である。
【００４０】
次に、録画された番組データを再生する場合について説明する。再生にあたっては、視聴者がリモコン１５によって該当の録画番組を再生する指示を制御部１３へ送る。制御部１３では、ディスクドライブ８上の記録情報管理テーブル内にある領域情報を読み取り、再生するべき番組データのディスクドライブ８上の位置を解析する。実施の形態２においては、番組Ｄ及び番組Ｆが再生対象となる。番組データの位置が分かった後は、制御部１３はディスクドライブ８から該当する番組データを読み出し、再生信号処理部９へ渡すようにドライブインターフェース７を制御する。このとき制御部１３は、記録情報管理テーブル内にある領域情報によって、番組Ｄと番組Ｆを時間的な境界なくひとつの番組として読み出し制御を行う。再生信号処理部９では、ディスクドライブ８に記録されたＰＳ又はＴＳフォーマットの信号から映像と音声のデータを分離抽出する。生成されたデータは圧縮されたデータであるのでデコーダ１０にて伸張を行い、Ｄ／Ａ変換部１１でアナログ信号に変換される。アナログ信号になった映像信号は出力部から出力されてテレビモニタに映し出される。結果的には視聴者は、短時間だけチャンネル選択されていた番組Ａ、番組Ｂ、番組Ｃ、及び番組Ｅについては視聴することなく、番組Ｄと番組Ｆだけを視聴することができる。
【００４１】
なお、図１、図８から図１５までを用いた上記説明においては、予め決められた第１の基準時間Ｒ１内にチャンネル変更した番組について削除を実施しているが、第１の基準時間Ｒ１については視聴者が任意に設定変更できるようにしてもよい。
【００４２】
また、図１、図８から図１５までを用いた上記説明においては、アナログ放送番組のタイムシフト録画について説明したが、デジタル放送番組においても同様の制御によって不要な録画番組を自動的に削除することができる。デジタル放送の場合には、チューナ２をデジタルチューナに置き換え、復調部３、Ａ／Ｄ変換部４、及びエンコーダ５をデジタル復調部に置き換え、不要番組の自動削除のために、図１０、図１１、及び図１２に示される処理を実行すればよい。
【００４３】
また、図１、図８から図１５までを用いた上記説明においては、記録情報管理テーブル内のマップ情報に視聴時間を記憶させたが、マップを生成する際に視聴時間が第１の基準時間Ｒ１より長いか否かの判定結果を記憶させてもよい。
【００４４】
また、図１、図８から図１５までを用いた上記説明においては、番組Ａ、Ｂ、Ｃ、Ｄ、Ｅ、Ｆがすべて別のチャンネルの番組であると仮定して説明したが、例えば、図１６に示すように、番組Ａ、番組Ｄ（１）、番組Ｂ、番組Ｃの各チャンネルを第１の基準時間Ｒ１以下だけ選択し、その後、再び番組Ｄ（２）のチャンネルを第１の基準時間Ｒ１より長い時間選択した場合には、第１の基準時間Ｒ１以下しか選択していない番組Ｄ（１）の番組情報を削除の対象とせず、有効な番組情報として扱ってもよい。この場合、番組Ａ、番組Ｂ、番組Ｃだけが削除対象となり、記録情報管理テーブルについても、これらが削除されたものとして変更がなされる。
【図面の簡単な説明】
【００４５】
【図１】本発明の実施の形態１及び２の放送受信記録装置の構成を概略的に示すブロック図である。
【図２】実施の形態１の放送受信記録装置のディスクドライブ上の論理的なデータ空間を示す説明図である。
【図３】実施の形態１の放送受信記録装置のディスクドライブ上に記録されている番組を管理するための記録情報管理テーブルの説明図である。
【図４】実施の形態１の放送受信記録装置におけるタイムシフト録画の概要を示すフローチャートである。
【図５】実施の形態１の放送受信記録装置におけるタイムシフト録画の詳細を示すフローチャートである。
【図６】図５に示される処理の途中で実施される割り込み処理を示すフローチャートである。
【図７】実施の形態１の放送受信記録装置におけるディスクドライブの論理的なデータ空間から不要な録画番組のデータが削除される場合を示す説明図である。
【図８】本発明の実施の形態２の放送受信記録装置におけるディスクドライブ上の論理的なデータ空間を示す説明図である。
【図９】実施の形態２の放送受信記録装置のディスクドライブ上に記録されている番組を管理するための記録情報管理テーブルの説明図である。
【図１０】実施の形態２の放送受信記録装置におけるタイムシフト録画の概要を示すフローチャートである。
【図１１】実施の形態２の放送受信記録装置におけるタイムシフト録画の詳細を示すフローチャートである。
【図１２】図１１に示される処理の途中で実施される割り込み処理を示すフローチャートである。
【図１３】実施の形態２の放送受信記録装置におけるディスクドライブの論理的なデータ空間から不要な録画番組のデータが削除される場合（第１の例）を示す説明図である。
【図１４】実施の形態２の放送受信記録装置におけるディスクドライブの論理的なデータ空間から不要な録画番組のデータが削除される場合（第２の例）を示す説明図である。
【図１５】実施の形態２の放送受信記録装置おける不要録画番組データ削除時のディスクドライブ上の論理的なデータ空間を示す説明図である。
【図１６】実施の形態２の放送受信記録装置におけるディスクドライブの論理的なデータ空間から不要な録画番組のデータが削除される場合（第３の例）を示す説明図である。
【符号の説明】
【００４６】
１  アンテナ、  ２  チューナ、  ３  復調部、  ４  Ａ／Ｄ変換部、  ５  エンコーダ、  ６  記録信号処理部、  ７  ドライブインターフェース、  ８  ディスクドライブ、  ９  再生信号処理部、  １０  デコーダ、  １１  Ｄ／Ａ変換部、  １２  出力部、  １３  制御部、  １４  受光部、  １５  リモコン、  ２０，６０  管理（１）の領域情報、  ２１，６１  管理（２）の領域情報、  ２２，６２  記録状態情報、  ２３，６３  番組Ａのマップ情報、  ２４，６４  番組Ｂのマップ情報、  ５０  番組Ａの放送番組データ、  ５１  番組Ｂの放送番組データ、  ５２  番組Ｃの放送番組データ、  ５３  番組Ｄの放送番組データ、  ５４  番組Ｅの放送番組データ、  ５５  番組Ｆの放送番組データ、  ６５  番組Ｃのマップ情報、  ６６  番組Ｄのマップ情報、  ６７  番組Ｅのマップ情報、  ６８  番組Ｆのマップ情報、  ７１  番組Ｄ（１）の放送番組データ、  ７２  番組Ｄ（２）の放送番組データ。
【図１】
2005198137.tif 000003
【図２】
2005198137.tif 000004
【図３】
2005198137.tif 000005
【図４】
2005198137.tif 000006
【図５】
2005198137.tif 000007
【図６】
2005198137.tif 000008
【図７】
2005198137.tif 000009
【図８】
2005198137.tif 000010
【図９】
2005198137.tif 000011
【図１０】
2005198137.tif 000012
【図１１】
2005198137.tif 000013
【図１２】
2005198137.tif 000014
【図１３】
2005198137.tif 000015
【図１４】
2005198137.tif 000016
【図１５】
2005198137.tif 000017
【図１６】
2005198137.tif 000018